(57)【要約】【課題】腰の保護などを目的として腰に巻き付けて着用する腰用サポートベルトを、着用者の身体や使用目的に応じて着用ベルト部分やツボ刺激部分を選択組み合わせが容易に行えるようにする。【解決手段】着脱連結自在とし、左右対称に横ベルト装着部１１と斜めベルト装着部１２を一側方端に設けた一対の連結体１ａ，１ｂと、連結体１ａ，１ｂの各横ベルト装着部１１に端部を着脱自在に連結した臀部ベルト体２と、前記の連結体１ａ，１ｂの各斜めベルト装着部１２に端部を着脱自在に連結した腰部ベルト体３とで構成する。【選択図】図１
0003221465.tif 000002
【実用新案登録請求の範囲】
【請求項１】
着脱連結自在とし、左右対称に横ベルト装着部と斜めベルト装着部を一側方端に設けた一対の連結体と、前記の連結体の各横ベルト装着部に端部を着脱自在に連結した臀部ベルト体と、前記の連結体の各斜めベルト装着部に端部を着脱自在に連結した腰部ベルト体とで構成したことを特徴とする腰用サポートベルト。
【請求項２】
連結体を、表裏重ね合わせた対向面を面ファスナーで形成して着脱自在とした短尺の横帯部と、前記横帯部に縫合して斜め上方に突出させた斜め帯体と、横帯部の一方端と斜め帯部の端部に横ベルト装着部と斜めベルト装着部を設けてなる請求項１記載の腰用サポートベルト。
【請求項３】
連結体の横ベルト装着部と斜めベルト装着部が長孔を備えた折返金具で形成し、臀部ベルト体と腰部ベルト体の各端部を、折返し連結可能とした面ファスナーとしてなる請求項１又は２記載の腰用サポートベルト。
【請求項４】
臀部ベルト体及び腰部ベルト体の装着時身体側となる内面側の適宜位置にゴム質部材を付設して滑り止め部とした請求項１乃至３記載の何れかの腰用サポートベルト。
【請求項５】
臀部ベルト体及び腰部ベルト体の着用時身体側となる内面側の適宜位置にツボ刺激部を突設してなる請求項１乃至４記載の何れかの腰用サポートベルト。
【請求項６】
臀部ベルト体及び腰部ベルト体の装着時身体側となる内面側に面ファスナーで形成した絡着面部を設け、当該箇所にクッション性を備えたツボ刺激部を絡着脱自在に設けた請求項５記載の腰用サポートベルト。
【請求項７】
腰部ベルト体の中央部分に幅広部を設け、前記幅広部の内面側における上下左右箇所にクッション押圧部を設けてなる請求項１乃至６記載の何れかの腰用サポートベルト。
【請求項８】
内面側に上下左右箇所にクッション押圧部を設けてなる腰当て部材を、腰部ベルト体の中央位置に着脱自在に連結してなる請求項１乃至６記載の何れかの腰用サポートベルト。
【考案の詳細な説明】
【技術分野】
【０００１】
本考案は、腰の保護（腰痛緩和、骨盤の締め付けによる固定等）に使用する腰用サポートベルトに関するものである。
【背景技術】
【０００２】
腰用サポートベルト（腰用サポーター）は使用目的に応じてベルト幅、締め付け手段、ツボ刺激突起等を組み合わせて構成されている。例えば特許文献１，２には幅広帯のベルト本体にツボ刺激突起を設けた腰用サポーターが開示されており、特許文献３にはベルト連結部から上中下の３本のバンド部を備えた運動用サポーターが開示されている。また特許文献４には、臀部と腰部とを別々の幅広帯で締め付ける健康ベルトが開示されている。
【先行技術文献】
【特許文献】
【０００３】
【特許文献１】特開２００４−２７７９３６号公報。
【特許文献２】特開２０１７−４７１４３号公報。
【特許文献３】実用新案登録３１８５４２８号公報。
【特許文献４】特開２００４−３３３５６号公報。
【考案の概要】
【考案が解決しようとする課題】
【０００４】
上記の特許文献１，２に開示されている腰用サポートベルトは、ベルト本体が単一帯体の構成では臀部若しくは腰部への装着に限定され、臀部（骨盤位置）と腰部への同時装着は困難であり、使用目的が限定される。また特許文献３，４に開示されている腰用サポートベルトのように複数の帯体（ベルト体）を備えるものは、臀部も腰部の同時締め付けがなされるが、帯幅や突起（ツボ刺激部）の位置等が定められており、各使用者個人の身体形態や使用者の要望に対応できる構成とはなっていない。
【０００５】
そこで本考案は、ベルト本体を種々選択することができる新規な構成の腰用サポートベルトを提案したものである。
【課題を解決するための手段】
【０００６】
本考案の請求項１記載に係る腰用サポートベルトは、着脱連結自在とし、左右対称に横ベルト装着部と斜めベルト装着部を一側方端に設けた一対の連結体と、前記の表裏連結体の横ベルト装着部に端部を着脱自在に連結した臀部ベルト体と、前記の各連結体の斜めベルト装着部に端部を着脱自在に連結した腰部ベルト体とで構成したことを特徴とするものである。
【０００７】
而して臀部ベルト体の両端を各連結体の横ベルト装着部に連結し、腰部ベルト体の両端を各連結体の斜めベルト装着部に連結した状態で使用する。身体への着用は、連結体を分離した状態で両ベルト体を所定位置（臀部回りと腰部背面）に回し、両ベルト体で身体を適宜な強さで締め付けるようにして連結体を連結すると、臀部ベルト体で骨盤を締め付け、腰部ベルト体で腰部の締め付けが行なわれる。従って両ベルト体が臀部と腰部に装着されているので、着用者の作業動作時においてもずれが生ずることが無く、而も両ベルト体を着用者に応じた形態・形状のものを採用することができる。
【０００８】
また本考案の請求項２記載に係る腰用サポートベルトは、前記の腰用サポートベルトにおいて、特に連結体を、表裏重ね合わせた対向面を面ファスナーで形成して着脱自在とした短尺の横帯部と、前記横帯部に縫合して斜め上方に突出させた斜め帯体と、横帯部の一方端と斜め帯部の端部に横ベルト装着部と斜めベルト装着部を設けてなるもので、着用時に連結体の連結位置を調製することで、両ベルト体の締め付け力を調整できる。
【０００９】
また本考案の請求項３記載に係る腰用サポートベルトは、前記の腰用サポートベルトにおいて、特に横ベルト装着部と斜めベルト装着部が長孔を備えた折返金具で形成し、臀部ベルト体と腰部ベルト体の各端部を、折返し連結可能とした面ファスナーとしてなるもので、両ベルト体の折返し長さの調整によって両ベルト体全体の長さ調整が可能となる。
【００１０】
また本考案の請求項４記載に係る腰用サポートベルトは、前記の腰用サポートベルトにおいて、特に臀部ベルト体及び腰部ベルト体の装着時身体側となる内面側の適宜位置にゴム質部材を付設して滑り止め部としたもので、着用後の着用者の作業動作・運動においてベル体の着用位置のずれを防止する。
【００１１】
また本考案の請求項５記載に係る腰用サポートベルトは、前記の腰用サポートベルトにおいて、特に臀部ベルト体及び腰部ベルト体の装着時身体側となる内面側の適宜位置にツボ刺激部を突設してなるものであり、更に本考案の請求項６記載に係る腰用サポートベルトは、臀部ベルト体及び腰部ベルト体の装着時身体側となる内面側に面ファスナーで形成した絡着面部を設け、当該箇所にクッション性を備えたツボ刺激部を着脱自在に設けてなるものである。
【００１２】
従って本サポートベルトの着用によって、ベルト体に装着したツボ刺激部（突起）による指圧効果を得ることができ、またツボ刺激部の装着位置を着用者に対応して定めることができる。
【００１３】
また本考案の請求項７記載に係る腰用サポートベルトは、前記の腰用サポートベルトにおいて、特に腰部ベルト体の中央部分に幅広部を設け、前記幅広部の内面側における上下左右箇所にクッション押圧部を設けてなるものであり、また本考案の請求項８記載に係る腰用サポートベルトは、内面側に上下左右箇所にクッション押圧部を設けてなる腰当て部材を、腰部ベルト体の中央位置に着脱自在に連結してなるもので、腰部ベルト体を細幅ベルトから幅広部を備えると共に、上下左右広い範囲でツボ刺激部を備えた器具とすることができる。
【考案の効果】
【００１４】
本考案は上記の構成を備えた腰用サポートベルトで、臀部の締め付け（骨盤固定）、並びに腰部の締め付け（腰部保護）を同時行えると共に、連結体及びベルト体を連結着脱自在に形成して、これを組み合わせるようにしたもので、各着用者個人の身体形態や要望に容易に対応できる器具を提供できたものである。
【図面の簡単な説明】
【００１５】
【図１】本考案の第一の実施形態の各部材の斜視図。
【図２】同各部材を連結した状態で（イ）は連結体連結時を示し（ロ）は連結体非連結時の拡げた状態を示す。
【図３】同各部材を連結した斜視図。
【図４】同使用状態（身体着用時）を示す説明図。
【図５】同第二の実施形態の各部材を連結した状態の正面図。
【図６】同斜視図。
【図７】同使用状態（身体着用時）を示す説明図。
【図８】同第二実施形態の別例の斜視図。
【考案を実施するための形態】
【００１６】
次に本考案の実施形態について説明する。図１乃至図４に示した第一実施形態の腰用サポートベルトは、一対の連結体１ａ，１ｂと、臀部ベルト体２と腰部ベルト体３で構成される。
【００１７】
連結体１ａ，１ｂは、左右対称に横ベルト装着部１１と斜めベルト装着部１２を一側方端に設けたもので、短尺（幅４０ｍｍ前後で長さ１００ｍｍ程度）の横帯部１３と、前記横帯部１３の幅に対応する帯体を縫合して形成して斜め上方に突出させた斜め帯部１４を備え、連結体１ａ，１ｂを重ね合わせた際の対向面に面ファスナー１５を形成したものである。
【００１８】
また前記の横ベルト装着部１１と斜めベルト装着部１２は、それぞれ横帯部１３及び斜め帯部１４の端部に、長孔１６を備えたに折返金具を装着して形成したものである。
【００１９】
臀部ベルト体２及び腰部ベルト体３は、適宜幅の長尺帯で両端面に折返し連結可能とした面ファスナー部２１，３１を設け、前記各長孔１６に端部を挿通して折返し、面ファスナー部２１，３１を絡着して、臀部ベルト体２を横ベルト装着部１１に、腰部ベルト体３を斜めベルト装着部１２に連結するものである。
【００２０】
また臀部ベルト体２及び腰部ベルト体３の適宜箇所（ツボ刺激に適する位置）に面ファスナーで形成した絡着面部２２，３２を設ける。
【００２１】
前記絡着面部２２，３２に、ツボ刺激部となるツボ刺激体４と、滑り止め部となる滑り止め体４ａを絡着するもので、ツボ刺激体４及び滑り止め体４ａの背面には面ファスナーを設けて所望位置に絡着できるようにしたもので、ツボ刺激体４は約５０ｍｍ程度の長さで約１０ｍｍ程度の突出高さとし、表面にクッション機能を備えたメッシュパットに形成したものであり、滑り止め体４ａは約３５ｍｍ程度の長さで約１０ｍｍ程度の突出高さとし、表面をゴム質材で形成したものである。
【００２２】
而して各連結体１ａ，１ｂに臀部ベルト体２及び腰部ベルト体３を装着し、適宜位置にツボ刺激体４を絡着して連結体１ａ，１ｂを分離した状態が図２（ロ）に示したとおりである。そこでベルトの着用者Ａは、臀部ベルト体２を臀部（骨盤周囲）Ｂに回し、腰部ベルト体３を腰部Ｃから下腹部Ｄに回し、連結体１ａ，１ｂを連結すると、臀部ベルト体２で臀部（骨盤）Ｂを締め付け、腰部ベルト体３で腰部Ｃの締め付けが行なわれる。
【００２３】
本サポ−トベルトの着用によって骨盤の締め付け固定及び腰部の締め付け固定によって作業動作中の腰痛発生を防止すると共に、ツボ刺激体４によるツボ押圧刺激により腰痛を解消する。
【００２４】
特に連結体１ａ，１ｂと臀部ベルト体２と腰部ベルト体３が着脱構造となり、更にツボ刺激体４も所望位置とすることができるので、着用者個人に対応できるものである。
【００２５】
また図５乃至図７には第二実施形態を示した。この腰用サポートベルトは、腰部ベルト体３ａが中央部分に、約２４０ｍｍ（長さ）×１４０ｍｍ（上下幅）程度の大きさの幅広部３３を設けると共に、前記幅広部３３の内面側上下左右４カ所に約７０ｍｍ（長さ）×４０ｍｍ（上下幅）程度で突出長約１０ｍｍ程度のクッション押圧部３４を設けたものである。
【００２６】
幅広部３３を備えた腰部ベルト体３ａは、第一実施形態の腰部ベルト体３に替えて使用するもので、着用時に着用者の腰部Ｃを広い範囲で締め付けるもので、腰部Ｃの固定作用が高められるものである。
【００２７】
また図８は第二実施形態の別例で、幅広部３３に替えて腰当て体５を使用するものである。
【００２８】
この実施形態においては、腰部ベルト体３ｂが前記腰当て体５を着脱できるようにするもので、例えば腰部ベルト体３ｂが二分され、分離箇所に腰当て体５との連結部３５を設けるものである。
【００２９】
また腰当て体５は幅広部３３と同様に内面側の上下左右箇所にクッション押圧部５１を設け、更に腰部ベルト体３ｂの各連結部３５と着脱連結可能とした連結接続部５２を設けたもので、幅広部３３を採用した器具と同様の機能を発揮するものである。特に全体の形状及びクッション押圧部５１の形状を異なる部材から選択装着できるものである。
【００３０】
尚図示した第二実施形態において第一実施形態と同一機能を発揮する部分には同一図番号を使用した。
【符号の説明】
【００３１】
１ａ，１ｂ    連結体
１１    横ベルト装着部
１２    斜めベルト装着部
１３    横帯部
１４    斜め帯部
１５    面ファスナー
１６    長孔
２      臀部ベルト体
２１    面ファスナー部
２２    絡着面部
３，３ａ，３ｂ      腰部ベルト体
３１    面ファスナー部
３２    絡着面部
３３    幅広部
３４    クッション押圧部
３５    連結部
４      ツボ刺激体（ツボ刺激部）
４ａ    滑り止め体（滑り止め部）
５      腰当て体
５１    クッション押圧部
５２    連結接続部
Ａ      着用者
Ｂ      臀部（骨盤周囲）
Ｃ      腰部
Ｄ      下腹部
【図１】
0003221465.tif 000003
【図２】
0003221465.tif 000004
【図３】
0003221465.tif 000005
【図４】
0003221465.tif 000006
【図５】
0003221465.tif 000007
【図６】
0003221465.tif 000008
【図７】
0003221465.tif 000009
【図８】
0003221465.tif 000010